(57)【要約】【課題】本発明はかご内手すりの機能を確保しながら、冷暖房機能と演出効果を備えた手すりを提供すること。【解決手段】本発明にかかるエレベーター乗りかご内手すり装置は、エレベーターの乗りかご内に設けられた手すり装置において、乗りかご内に設けられた中空の光透過性パイプ６により形成された手すり２と、前記手すり２の内部に充填された波状流体からなる媒体７と、前記手すり２に接続されて前記媒体７を循環させる媒体循環装置１０と、前記媒体７の冷却または加熱を行う媒体冷却加熱装置１１と、前記媒体７の交換を行う媒体交換装置１２を備えた。【選択図】図１
2013159453.tif 000002
【特許請求の範囲】
【請求項１】
エレベーターの乗りかご内に設けられた手すり装置において、
乗りかご内に設けられた中空の光透過性パイプにより形成された手すりと、前記手すり
の内部に充填された液状流体からなる媒体と、前記手すりに接続されて前記媒体を循環さ
せる媒体循環装置と、前記媒体の冷却または加熱を行う媒体冷却加熱装置と、前記媒体の
交換を行う媒体交換装置を備えたことを特徴とするエレベーター乗りかご内手すり装置。
【発明の詳細な説明】
【技術分野】
【０００１】
本発明はエレベーター、特にエレベーター乗りかご内手すり装置の改良に関する。
【背景技術】
【０００２】
エレベーター乗りかご内手すりに冷・暖房機能を付加させた発明としては特開２００６−２９０５２４号公報や、実開昭６２−１８１５８３号や、実開平０１−０８５３７０号などが考案されている。またエレベーターかご内手すりに演出効果を付加させた発明としては特開２００４−０９９３０５号公報などが考案されている。
【先行技術文献】
【特許文献】
【０００３】
【特許文献１】特開２００６−２９０５２４号公報
【特許文献２】実開昭６２−１８１５８３号
【特許文献３】実開平０１−０８５３７０号
【特許文献４】特開２００４−０９９３０５号公報
【発明の概要】
【発明が解決しようとする課題】
【０００４】
特許文献１に記載された発明は、乗りかご内手すりにヒーターを配置・加熱して寒冷期の暖房効果を狙ったものであり、本発明は、乗りかご内手すりを冷やす機能を有していないため、夏季は利用できない。
【０００５】
特許文献２に記載された発明は、乗りかご内手すりに空気吹き出しロを設け、そこから冷気あるいは暖気を乗りかご内に放出させる手段を設けている。この発明は、夏季・寒冷期共に利用可能であるが、乗りかご内手すりから冷気あるいは暖気を放出させているため、エレベーターに乗った乗客が手すりをつかむなどして手で吹き出し口を塞いでしまうと塞いだ吹き出し口からは送風できない上、手に直接冷気や暖気が当たったり、つかむ前に手に風を受ける等して不快であると共に、冷房機能や暖房機能を優先する場合には乗客に手すりをつかむことを躊躇させてしまうなど、本来の乗りかご内手すりとしての機能が果たせない。
【０００６】
また、乗りかご内手すりに空気吹き出し口を設けているので吹き出しロが汚れやすく、清掃しにくいため清潔に保つのが困難である。また、空気吹き出し口に、たとえば幼児などの指が挟まる危険性がある。
【０００７】
特許文献３に記載された発明は、特許文献２に記載された発明に、乗りかご内手すりにルーバー機能を付加したものである。この発明も特許文献２と同様な問題点を有している。
【０００８】
前述の３件の発明は、何れも乗りかご内手すりに冷・暖房機能のみを付加させる手段を設けたものであり、乗りかご内手すりには何ら演出効果を備えていない。
【０００９】
エレベーターかご内手すりに演出効果を付加させた発明としては、特許文献４に開示された発明などが知られている。この発明は、乗りかご内手すりに複数本の冷陰極蛍光ランプを配して発光させ、視覚的演出効果を高めている。この発明の視覚的演出効果は冷陰極蛍光ランプに拠るため光学的演出効果しか得られない。また、冷・暖房機能も有していない。
【００１０】
本発明は、上記問題点に鑑み発明したもので、かご内手すりの機能を確保しながら、冷暖房機能と演出効果を備えた手すりを提供することを目的とする。
【課題を解決するための手段】
【００１１】
本発明に係るエレベーター乗りかご内手すり装置は、エレベーターの乗りかご内に設けられた手すり装置において、乗りかご内に設けられた中空の光透過性パイプにより形成された手すりと、この手すりの内部に充填された液状流体からなる媒体と、前記手すりに接続されて前記媒体を循環させる媒体循環装置と、前記媒体の冷却または加熱を行う媒体冷却・加熱装置と、前記媒体の交換を行う媒体交換装置を備えたことを特徴とする。
【発明の効果】
【００１２】
本発明はエレベーター乗りかご内手すりに冷・暖房機能と演出効果を付加させ、かつ従来技術の問題点を解決したエレベーター乗りかご内手すりを提供することができる。
【図面の簡単な説明】
【００１３】
【図１】本発明の一実施形態にかかる概要を示す斜視図である。
【図２】本発明の一実施形態にかかる手すりの構造を説明するための概要図である。
【図３】本発明の一実施形態にかかる冷媒循環装置の構造を示す斜視図である。
【図４】本発明の一実施形態にかかる媒体循環装置の構造を示す斜視図である。
【図５】本発明のー実施形態にかかる媒体冷却・加熱装置の構造を示す斜視図である。
【図６】本発明の一実施形態にかかる媒体交換装置の構造を示す斜視図である。
【図７】本発明の一実施形態にかかる外部中継箱の断面図である。
【図８】本発明の一実施形態にかかる媒体交換装置の弁の動作を示すタイムチャートである。
【発明を実施するための形態】
【００１４】
以下、本発明の一実施形態を図１から図８を用いて説明する。
【００１５】
図１は本発明の一実施形態にかかる概要を示す斜視図である。同図に示すエレベーター乗りかご内手すり装置は、エレベーターの側壁を構成するエレベーター乗りかご内パネル１にエレベーター乗りかご内手すり２が設けられており、このエレベーター乗りかご内手すり２は、エレベーター乗りかご内パネル１を貫通してエレベーター手すり内冷媒循環装置３に接続されている。エレベーター手すり内冷媒循環装置３は、エレベーター乗りかご内パネル１のエレベーター乗りかごの外側に設置されていて、後で説明する媒体補給用扉４と媒体回収用扉５にはエレベーター乗りかご内パネル１に設けられた切り欠きを通してエレベーター乗りかご内からアクセスできるように取り付けられている。
【００１６】
図２は、本発明の一実施形態にかかる手すりの構造を説明するための概要図である。なお、同図においてＡ‐Ａ直線より右側では手すり２の外観概要を、左側では手すり２を断面とした概要が示されている。手すり２は乳白色あるいは透明の強化プラスチックなどの光透過性パイプ６と、水など液状の流体を用いた媒体７からなり、光透過性パイプ６の中を媒体７が流動する構成となっている。
【００１７】
媒体７は、冷媒循環装置３にて冷却・加熱され、光透過性パイプ６内を循環し、媒体７は絶えず光透過性パイプ６内を流通してるので、かご内には冷却・加熱された媒体７を経由して冷気８（または暖気８）が提供される。但し、冷やしすぎあるいは暖めすぎては、乗りかごに乗った乗客が手すりをつかんだ際に、つかみ続けることができない等の事象が発生し、手すりとしての本来の機能を失い兼ねないので、あくまで触るとほんのり冷たいあるいはほんのり暖かい程度の冷気あるいは暖気であるのがよい。
【００１８】
また、媒体７は水など液状の流体としている。冷媒循環装置３には媒体７の交換や、光透過性パイプ６内部の洗浄、すなわち洗浄液の注入・すすぎ等の機能も有しているので、例えばタイムスケジュールにより媒体７の色を変更したり、演出効果物質、たとえば泡９を混入して冷涼感を向上するなど、さまざまな演出を可能としている。
【００１９】
また、冷媒循環装置３には媒体７の流通方向や速度を制御する装置も備えているので、例えばタイムスケジュルにより媒体の流通方向を変えたり、流通速度を変えたり、ランダムな流体動作を発生させることも可能としている。これによりさらに意匠性や演出効果を向上させることが可能である。
【００２０】
図３は、本発明の一実施形態にかかる冷媒循環装置の構造を示す斜視図である。なお、図３においてはエレベーター手すり内冷媒循環装置３の背面側、すなわち乗りかごパネル１への設置面とは反対側の面から背面板を透視した状態を示している。手すり２は媒体循環装置１０、媒体冷却・加熱装置１１、媒体交換装置１２のそれぞれに接続されており、媒体７はこれらの内部を流通する構成となっている。また媒体交換装置１２には複数の媒体補給箱１３と共に、媒体回収タンク１４が接続されている。そして媒体回収タンク１４には回収媒体排出用弁１５が接続されており、媒体回収タンク１４に蓄えられた回収媒体は、回収媒体排出用弁１５から排出可能となっている。媒体補給箱１３には媒体補給用扉４を乗りかご内から開放することによりアクセス可能であり、媒体回収タンク１４の回収媒体排出用弁１５には、媒体回収用扉５を乗りかご内から開放することによりアクセス可能である。従って媒体７の補給は、乗りかご内部より媒体補給用扉４を開け、媒体補給箱１３の中に注ぎ込むことで行うことができる。また使用済みの媒体７は、媒体回収タンク１４に集められる。使用済みの媒体７の回収は、乗りかご内部より媒体回収用扉５を開け、回収媒体排出用弁１５より取り除くことができる。また媒体循環装置１０、媒体冷却・加熱装置１１、媒体交換装置１２には外部中継箱１６を通して外部より供給される電源などの必要な配線や、配管などを接続している。
【００２１】
本実施形態による手すり装置の動作についてさらに詳しく説明する。
【００２２】
媒体７は、媒体循環装置１０と、媒体冷却・加熱装置１１と、媒体交換装置１２を経由し、光透過性パイプ６の中を流動している。媒体循環装置１０は、媒体７の流動方向・流動速度などを司る装置である。図４は本発明の一実施形態にかかる媒体循環装置の構造を示す図である。なお、図４（ａ）は媒体流発生装置の内部構造を示す分解組図、図４（ｂ）は媒体循環装置１０の内部構造を示す透視図である。図４（ａ）に示すように媒体流発生装置１７は媒体流を発生させるための装置であり、媒体流発生装置１７内には回転することにより媒体流を発生させることができる複数の回転羽１８が設けられている。このような媒体流発生装置１７は図４（ｂ）に示すように媒体流発生装置１７を制御し、回転羽１８を回転・停止するための媒体循環制御装置１９に接続されている。また、媒体流発生装置１７は接続材２０によって光透過性パイプ６と接合されている。媒体循環制御装置１９は例えばエレベータの制御装置等の上部制御装置からの媒体流発生指令を受信すると、媒体流発生装置１７に回転方向指令・回転速度指令を発する。媒体流発生装置１７は媒体循環制御装置１９の指令に基づき回転羽１８を回転させ、媒体７を光透過性パイプ６内で流通させる。
【００２３】
媒体冷却・加熱装置１１は媒体７をほんのり冷たくあるいはほんのり暖かくする装置である。図５は本発明の一実施形態にかかる媒体冷却・加熱装置の構造を示す斜視図である。同図に示す媒体冷却・加熱装置１１は媒体７をほんのり冷たくあるいはほんのり暖かくするための制御を行う媒体冷却・加熱制御装置２２と、媒体７をほんのり冷たくあるいはほんのり暖かくするために媒体の冷却や加熱を行うための媒体冷却・加熱部２３と、媒体冷却・加熱制御装置２２からの指令により媒体冷却・加熱部２３をほんのり冷たくあるいはほんのり暖かくさせるための媒体冷却・加熱機２４と、媒体冷却・加熱部２３から発生する水滴を収集・排出するための水滴回収装置２５と、を備えている。
【００２４】
媒体冷却・加熱制御装置２２は例えばエレベータの制御装置等の上部制御装置からの媒体冷却・加熱指令を受信すると、媒体冷却・加熱機２４に冷却・加熱・設定温度などの指令を発する。媒体冷却・加熱機２４は、媒体冷却・加熱制御装置２２からの指令に基づき媒体冷却・加熱部２３を設定温度に保つよう作動する。媒体冷却・加熱装置１１の動作原理は、たとえば公知の技術である冷暖房空調機の原理を応用しても良い。媒体冷却・加熱部２３を冷却した際には結露が発生する。この結露は、水滴回収装置２５にて回収し、媒体冷却・加熱機２４にて発生した結露水滴と共に、排水ホース２６を経由して外部に排出する。
【００２５】
媒体交換装置１２は媒体７の交換・演出効果物質（たとえば泡９）の混入・光透過性パイプ６内部の洗浄を司る装置である。図６は、本発明の一実施形態にかかる媒体交換装置の構造を示す斜視図である。同図に示す媒体交換装置１２は媒体７の中に演出効果物質（たとえば泡９）を混入するための演出効果増幅装置２８と、後で詳しく説明する弁Ａ２９から弁Ｆ３４と、弁Ａ２９から弁Ｆ３４および演出効果増幅装置２８を制御し、媒体７を交換・制御するための電磁弁制御装置３５とを備えている。弁Ａ２９は複数の媒体補給箱１３のひとつと光透過性パイプ６を接続する配管に設けられ、媒体補給箱１３に貯留された特定の着色（たとえば赤）を施した媒体７を注入・停止制御するための弁である。同様に弁Ｂ３０は特定の着色（たとえば青）を施した媒体７を、弁Ｃ３１は特定の着色（たとえば黄）を施した媒体７を、弁Ｄ３２は媒体７を入れ替える際、光透過性パイプ６の内面を一度洗浄するための洗浄用媒体７を注入・停止制御するための弁であり、それぞれ複数の媒体補給箱１３のひとつと光透過性パイプ６を接続する配管に設けられている。弁Ｅ３３は媒体７を入れ替える際に光透過性パイプ６内に注入済みの媒体７の流れを停止・開放するための弁であり、光透過性パイプ６に設けられている。また弁Ｆ３４は媒体７を入れ替える際に光透過性パイプ６内に注入済みの媒体７を媒体回収タンク１４に排出するための弁であり、光透過性パイプ６と媒体回収タンク１４接続する配管に設けられている。
【００２６】
電磁弁制御装置３５は例えばエレベータの制御装置等の上部制御装置からの媒体交換・演出効果増幅指令を受信すると、演出効果増幅装置２８や各弁Ａ２９〜弁Ｆ３４の動作を制御し、媒体７の交換や演出効果の増幅を行うよう動作する。
【００２７】
なお、本実施形態では媒体循環装置１０と、媒体冷却・加熱装置１１と、媒体交換装置１２は、判りやすくするために機能別に設けているが。一体物として制御することも可能である。
【００２８】
また、図７は本発明の一実施形態にかかる外部中継箱の断面図である。同図に示すように外部中継箱１６は、媒体冷却・加熱装置１１用排水ホース２６、媒体循環装置１０用電源・信号ケーブル用配管２１、媒体冷却・加熱装置１１用電源・信号ケーブル用配管２７、媒体交換装置１２用電源・信号ケーブル用配管３６をエレベーター手すり内冷媒循環装置３の外部から内部に引き込むことを可能とする構成となっている。なお本実施形態では媒体冷却・加熱装置１１用排水ホース２６をエレベーター手すり内冷媒循環装置３の外部に引き出し、排水を外部に排出する構成としているが、媒体冷却・加熱装置１１用排水ホース２６を媒体回収タンク１４に接続する構成を採っても良い。このように構成すれば、排水の回収を効率的に行うことが可能となる。
【００２９】
続いて本実施形態の乗りかご内手すり装置が、まず赤色の媒体７が光透過性パイプ６内を循環しており、定時間後、媒体色を青、黄、赤の順に交換し、途中、演出効果物質（たとえば泡）を混入するパターンの動作を行うのを、図８の媒体交換装置の弁の動作を示すタイムチャートに倣い、媒体７の色を変化させる際の具体的な動作について説明する。
【００３０】
定時間ａにて注入済みの赤色媒体７を排出するための弁Ｆ３４を開く。同時に注入済みの赤色媒体７の流れを停止させるため弁Ｅ３３を閉じる。同時に光透過性パイプ６の内部を洗浄するため、弁Ｄ３２を開き洗浄液を注入する。洗浄が終了する時間ａ’にて弁Ｄ３２を閉じ洗浄液の注入を停止する。同時に青色媒体７を注入するため弁Ｂ３０を開き青色媒体７を注入する。青色媒体７が光透過性パイプ６内に十分注入された時間ａ’’にて弁Ｂ３０を閉じ、青色媒体７の注入を停止する。同時に注入済みの媒体７を排出していた弁Ｆ３４を閉じ、同時に弁Ｅ３３を開き、注入済みの青色媒体７を循環させる。更に定時間ａ’’’経過にて演出効果増幅装置２８を起動し、演出効果物質（たとえば泡９）を混入する。
【００３１】
青色媒体７から黄色媒体７に切替える場合も、定時間ｂ、ｂ’、ｂ’’、ｂ’’’にて前記同様に弁を動作させる。
【００３２】
なお、本実施形態では各色を単一色として順次入れ替える実施例を説明したが、弁を制御することにより、各色を一定割合ずつ混合することでさまざまな色合いに調整することも可能である。
【００３３】
また本実施形態では、媒体循環装置１０、媒体冷却・加熱装置１１、媒体交換装置１２がエレベータの制御装置等の上部制御装置からの信号を受けて動作する例を挙げて説明したが、エレベーター装置から独立して、手すり装置として動作する構成であってもよい。この場合、乗りかご内や外部通信装置を通して動作を設定できるようにしても良い。
【００３４】
また本実施形態では演出効果増幅装置２８として、媒体７内に泡９を発生させる装置を例に挙げて説明したが、これに限られるものではなく、媒体７に光を照射する発光手段や、媒体７に花びら等の演出物質を混入させる物質混入手段等であっても良い。
【符号の説明】
【００３５】
１  エレベーター乗りかご内パネル
２  エレベーター乗りかご内手すり
３  エレベーター手すり内冷媒循環装置
４  媒体補給用扉
５  媒体回収用扉
６  光透過性パイプ
７  媒体
８  冷気または暖気
９  泡
１０  媒体循環装置
１１  媒体冷却・加熱装置
１２  媒体交換装置
１３  媒体補給箱
１４  媒体回収タンク
１５  回収媒体排出用弁
１６  外部中継箱
１７  媒体流発生装置
１８  回転羽
１９  媒体循環制御装置
２０  接続材
２１  電源・信号ケーブル用配管
２２  媒体冷却・加熱制御装置
２３  媒体冷却・加熱部
２４  媒体冷却・加熱機
２５  水滴回収装置
２６  排水ホース
２７  電源・信号ケーブル用配管
２８  演出効果増幅装置
２９  弁Ａ
３０  弁Ｂ
３１  弁Ｃ
３２  弁Ｄ
３３  弁Ｅ
３４  弁Ｆ
３５  電磁弁制御装置
３６  電源・信号ケ−ブル用配管
【図１】
2013159453.tif 000003
【図２】
2013159453.tif 000004
【図３】
2013159453.tif 000005
【図４】
2013159453.tif 000006
【図５】
2013159453.tif 000007
【図６】
2013159453.tif 000008
【図７】
2013159453.tif 000009
【図８】
2013159453.tif 000010